(57)【要約】  【課題】ポールにアームを取り付けるときにネジなどが露出せず、外観的に改善され、さらにポールに取り付けるアームの取付角度を任意の角度で取り付けられる照明装置を提供する。  【解決手段】側面に投光器１が取付けられ、安定器５を内蔵したアーム本体３ａのアーム筒３ｃがポール４側の嵌合部４ｂに勘合するようにポール４上端部に取付ける。立設されているポール４の上端板４ｅには配線挿通孔４ｃおよび上端板４ｅの偏心位置にネジ孔３ｄが設けられ、アーム本体３ａをポール４上端の任意の角度になるように調整し、固定ネジ３ｆを２つ、アーム本体３ａの内側からアーム本体３ａに形成された円弧状の長穴３ｅを通してポール上端板４ｅのネジ穴４ｄに固定する。  【選択図】  図３
2005332708.tif 000002
【特許請求の範囲】
【請求項１】
上端部に嵌合部を設けかつ上端面の中央に配線挿通孔を形成しかつ上端面の偏心位置に少なくとも１個のねじ孔を設けた取付体を有したポールと；
ポールの嵌合部に嵌合するアーム筒を底面に有し、嵌合部の中心が嵌合する底部に配線挿通孔を形成し、少なくとも１箇所に円弧状の長穴を設けたアーム本体と；
アーム本体底面の長穴を挿通してポール上端面のネジ孔に締結する少なくとも１つのネジと；
アーム本体の上部を密閉するアーム蓋体と；
アーム本体の側面に取り付けられ、放電灯を内蔵する投光器と；
アーム本体に収納され、投光器に内蔵される放電灯を安定点灯させる安定器と；
具備したことを特徴とする照明装置。
【請求項２】
アーム本体の底面は、長方形状でアーム筒を底面の中心に配設し、中心を対象として同数の少なくとも２つの安定器および少なくとも２つの投光器が設置されることを特徴とする請求項１記載の照明装置
【発明の詳細な説明】
【技術分野】
【０００１】
本発明はポール上端に取り付けられ、アームを介して設置される照明装置に関する。
【背景技術】
【０００２】
従来から、街路、道路、公園、広場などに設置されている照明装置として、ポール上端部にアームを介して照明器具を複数等設置している照明装置がよく知られている。このような照明装置はポール内に安定器を収納しポールおよびアーム内に配線を挿通させて、照明器具の光源を点灯させている。このように安定器をポール内に設置しようとするとポールが太くなるなど美観を損なう虞がある。
【０００３】
そのため、美観を損なうことなく、汎用の安定器の使用を可能にする照明装置を提供するため、ポールの頭頂部に、アームを介して、放電ランプを含む照明器具を取付けるとき、箱形アームを使用して、この箱形アームの収納部に放電ランプの安定器を収納するものであることが特許文献1に開示されている。
【０００４】
また、特許文献２には、灯具のアーム筒をポールに嵌合部よりも高くし、その嵌合しない部分にリード線挿通孔を形成しアーム筒にキャップを被せてボルトをその偏心位置でポールに締め付けるようにし、耐風圧強度、灯具の方向性および意匠性の優れた照明器具の取り付け装置が開示されている。
【０００５】
しかしながら、特許文献２ではアーム部とポールの接合部において、アームの角度が任意に調節することができなかった。このため、特許文献３では、ポールに対してアームの取付方向を任意の角度で連続的にできるように、基柱部と基柱部の先端に設けられ基柱部に対して回転自在なアダプタ部と、アダプタ部の先端に設けられ、アダプタ部を任意の回転位置で基柱部に固定する固定手段と、固定手段を覆ってアダプタ部の先端に固定される照明器具取付用のア−ム部とを備えた照明用ポールが開示されている。
【特許文献１】特開平９―３２０３３８号公報
【特許文献２】実公昭５９−１１３７１号公報
【特許文献３】実公平７−５１６８９号公報
【発明の開示】
【発明が解決しようとする課題】
【０００６】
しかしながら、特許文献３の発明であっても、アダプタ部を任意の回転位置で基柱部に固定する際に用いる固定手段であるネジがポール外部に露出してしまう虞があり特許文献３の実施形態ではこのネジを皿ネジにして目立たないようにはしているが、ポールやアダプタの外に露出しているため、外観が十分に改善されたものとはいえなかった。
【０００７】
そこで、本発明では、ポールにアームを取り付けるときにネジなどが露出せず、外観的に改善され、さらにポールに取り付けるアームの取付角度を任意の角度で取り付けられる照明装置を提供するものである。
【課題を解決するための手段】
【０００８】
請求項１の発明の照明装置は、上端部に嵌合部を設けかつ上端面の中央に配線挿通孔を形成しかつ上端面の偏心位置に少なくとも１個のねじ孔を設けた取付体を有したポールと；ポールの嵌合部に嵌合するアーム筒を底面に有し、嵌合部の中心が嵌合する底部に配線挿通孔を形成し、少なくとも１箇所に円弧状の長穴を設けたアーム本体と；アーム本体底面の長穴を挿通してポール上端面のネジ孔に締結する少なくとも１つのネジと；アーム本体の上部を覆うアーム蓋体と；アーム本体の側面に取り付けられ、放電灯を内蔵する投光器と；アーム本体に収納され、投光器に内蔵される放電灯を安定点灯させる安定器と；具備したことを特徴とする。
【０００９】
以下の各発明において、特に指定しない限り用語の定義および技術的意味は次による。
【００１０】
アーム本体は、アームに投光器が取付けられ、アーム内に安定器が収納できる形であれば、箱形状、筒形状などの形状を許容する。このとき、耐風圧強度を十分にするために、アーム側面の面積がアームの底面の面積よりも小さくすることが好ましい。
【００１１】
また、長穴の形状と個数およびネジ孔の数やネジの数などは、任意の調整角度で決定する事ができる。例えば、長穴の形状を円弧の角度が９０度にし、２個対称となるように形成し、ポール上端面のネジ孔を９０度角ごとに４個形成し、ネジを２個対称に集結させることによって、３６０度の任意の角度に回転させる事ができる。
【００１２】
請求項２の発明は、請求項記載１の照明装置であってアーム本体の底面は、長方形状でアーム筒を底面の中心に配設し、中心を対象として同数の少なくとも２つの安定器および少なくとも２つの投光器が設置されることを特徴とする。
【発明の効果】
【００１３】
請求項１の発明によれば、ポールにアームを取り付けるときにネジなどが露出せず、外観的に改善され、さらにポールに取り付けるアームの取付角度を任意の角度で取り付けられる照明装置を提供するものである。
【００１４】
請求項２の発明によれば、請求項１の効果を奏しながら、ポールにアームを介して投光器を偶数台取り付けるときに、アーム内にバランスよく灯具及び安定器を装填することができる。
【発明を実施するための最良の形態】
【００１５】
本発明の照明装置を図を参照して説明する。なお、これらの図中、同一または相当部分には同一符号を付して、重複した説明の記載は省略または簡略化している。図１は本発明の実施形態である照明装置の斜視図であり、図２は、同じく側断面図、図３は、アーム蓋体を取り外した状態の上面図、図４は、同じくアーム本体とポール取付状態を示す要部拡大図である。
【００１６】
投光器１は、開口部を有した投光器本体１ａ、開口部に取り付けられる枠体１ｂ、枠部に取り付けられ強化ガラスからなる透光部１ｃおよび本体１ａを回動可能に取り付ける取付体１ｄなどからなる。投光器本体１ａ内部には、開口部に向かって開口している反射体１ｅおよびソケット１ｆが取り付けられ、ソケットには、高圧放電ランプ２が取り付けられている。また、取付体１ｄは投光器本体１ａと取付ネジ１ｇで取付けられ、投光器１は上下に回動する。
【００１７】
アーム３は、箱型に形成され、アーム本体３ａとアーム蓋体３ｂからなり、アーム本体３ａとアーム蓋体３ｂとは、アーム３の上部からネジ止め（図示しない）される。このときアーム本体３ａの底面の面積は、耐風圧強度を考慮して、アーム本体側面３ｂの面積よりも小さくなるように形成されている。アーム本体３ａの底面の中心には、アーム筒３ｃが溶接され取付けられる。また、底面のアーム筒３ｃの中心部分であるアーム本体３ａの底面には、配線挿通孔３ｄが設けられ、配線挿通孔３ｄの外側でかつアーム筒３ｃの側面が取りつけられる部分より内側に、アーム筒３ｃの中心を同じく中心とした円弧状の長穴３ｅが２箇所、アーム筒３ｃ中心を対称的として形成されている。
【００１８】
また、アーム本体３ａ内部に、配線挿通孔３ｄを挟んで両端に安定器５が２台設置される。そして、アーム本体３ａの側面の両端部に投光器１が設置されている。投光器１は、アーム本体３ａ側面の内側に固定された固定筒３ｇに投光器１の取付体１ｄに形成される取付筒１ｈを挿入し、固定筒３ｇの外部から２箇所、固定ネジ１ｈによって固定される。このとき投光器１は、固定筒３ｇの軸方向に３６０度任意に回転させて固定させる事ができる。このように、固定筒３ｇおよび固定ネジ１ｈによって軸方向に回転し、さらに、投光器１は取付けネジ１ｇと取付け体の部分で上下に回動させることができ、投光器１はポール４の下面１８０°以上を任意に照射することができ、投光方向の調整も任意に行うことができる。
【００１９】
ポール４は、円柱状のポール本体４ａの上端にポール本体４ａよりも外径が小さくアーム筒３ｃのない側面に勘合する嵌合部４ｂおよび嵌合部の上端面に、中心に配線挿通孔４ｃおよび放射状に４個設けたネジ穴４ｄを形成した、上端板４ｅが設置されている。
【００２０】
次に、本実施形態の照明装置の取り付け方法について説明する。まず、立設されているポール４には、電源配線６が上端部の配線挿通孔４ｃまで挿通されている。また、箱型のアーム本体３ａの内部には安定器５が、そしてアーム本体３ａの外側面には投光器１が、ぞれぞれ２台取付けられ投光器１と安定器５は配線されている。このような投光器１が取付けられ安定器５を内蔵したアーム本体３ａアーム本体３ａ側のアーム筒３ｃがポール４側の嵌合部４ｂに勘合するようにポール上端部に取付ける。そうすると、アーム３側の配線挿通孔３ｄとポール上端板４ｅの配線挿通孔４ｃが嵌合するようになり、ポール４上端板４ｅの配線挿通孔４ｃから出された電源配線６がアーム本体３ａ内部に挿入される。そしてアーム本体３ａをポール４上端の任意の角度になるように調整し、固定ネジ３ｆを２つ、アーム本体３ａの内側からアーム本体３ａの長穴３ｅを通してポール上端板４ｅのネジ穴４ｄに固定する。本実施形態では、ポール４上端のネジ穴４ｄを９０°毎に４つ、それに勘合するアーム本体３ａの長穴３ｅを中心から円弧状に９０°形成したものを対峙して配置させているため、ポール４に対してアーム３は３６０度どんな角度でも回転させて固定することができる。また、取付けネジ（図示しない）などが、ポール４外部に露出することなく外観が改善されている。最後に、こうしてポール４取付けられたアーム本体３ａの上方開口をアーム蓋体３ｂでネジ止めして固定する。このときアーム蓋体３ｂの外部に取付けネジ（図示しない）が露出してしまうものであるが、アーム蓋体３ｂの上面にのみ取付けネジ（図示しない）などの取付け部品が露出するのみであり、アームの蓋体３ｂ上面には、通常の使用においての歩行者や通行人などからは見ることのできない位置であるため外観の問題は発生しない。また、必要があれば、アーム本体３ａにアーム蓋体３ｂを固定する際、アーム本体３ａとアーム蓋体３ｂの間にパッキンを挿入するなどして防水性を図ることも許容する。また、アーム本体３ａにアーム蓋体３ｂを固定する際、ネジ止めの他に、接着剤による固着などの方法も許容できる。
【００２１】
本実施形態によれば、ポール４にアーム３を取り付けるときにネジなどが露出せず、外観的に改善され、さらにポール４に取り付けるアーム３の取付角度を任意の角度で取り付けられるだけでなく、ポール４にアーム３を介して投光器１を偶数台取り付けるときに、アーム３内にバランスよく投光器１および安定器５を装填することができる。
【００２２】
さらに、アーム３内に安定器５を配設した事によって、従来までのように安定器５をポール４内に配設した場合であっては、そのためにポール４が太く形成しなければならなかったり、他に安定器５を投光器１の近傍に配設した場合であっては、アーム３上方の重量が大きくなり、耐風圧強度を十分にするためにポール４を太くするなどの必要があり、外観上の問題ばかりでなく、ポール４の設置工事が大規模となったり、ポール４のコストが増大することを抑制できる。
【００２３】
また、設置工事においてもアーム３に投光器１を固定し安定器５も内蔵させたものをポール４に取付けるのみであるため、設置工事が簡易にできる利点がある。
【００２４】
また本実施形態では、投光器１はアーム本体３ａの同側面に２台取付けたが、投光器１の取付け位置としては、対向する側面に取付ける、または端部側面に相対して取付けることもできる。また、アーム３の片側にアーム筒３ｃを形成しその反対側に投光器１を設けるなと投光器１の数は任意とすることができる。さらに、投光器１を４台、６台等、偶数台数をアーム３内に安定器をバランスよく配置する事で、本実施形態と同様の効果を奏することができる。
【図面の簡単な説明】
【００２５】
【図１】本発明の第１の実施形態の照明装置の斜視図。
【図２】同じく断面図。
【図３】同じくアーム上方からの上面図。
【図４】同じくポールとアームの取付け方法を説明する要部断面図。
【符号の説明】
【００２６】
１…投光器、  ２…ランプ  ３…アーム  ４…ポール  ５・・・安定器
３ａ・・・アーム本体  ３ｂ・・・アーム蓋体  ３ｆ・・固定ネジ  長穴・・・３ｅ
【図１】
2005332708.tif 000003
【図２】
2005332708.tif 000004
【図３】
2005332708.tif 000005
【図４】
2005332708.tif 000006